(57)【要約】【課題】  ウエット性能を犠牲にせずに、ヒール・アンド・トゥ摩耗を抑制することのできる空気入りタイヤを提供すること。【解決手段】  トレッド両側域１２Ｓの緩傾斜部分１８に隣接する陸部２２の踏み込み縁に踏み込み縁面取り部２６を形成することで、トレッド両側域１２Ｓの陸部２２の蹴り出し側と踏み込み側との段差量を抑制でき、結果的にトレッド両側域１２Ｓのヒール・アンド・トゥ摩耗を改良することができる。また、トレッド中央域１２Ｃの急傾斜部分１６に隣接する陸部２２の蹴り出し縁に蹴り出し縁面取り部２４を形成することで、トレッド中央域１２Ｃの陸部２２の蹴り出し側と踏み込み側との段差量を抑制でき、結果的にトレッド中央域１２Ｃのヒール・アンド・トゥ摩耗を改良することができる。傾斜溝１４の幅狭部分の溝底部側に拡幅部分２８を設け、傾斜溝１４をトレッド接地端１２Ｅに開口させているので、溝内の水をトレッド接地端１２Ｅの外側へスムーズに排水でき、十分なウエット排水性を確保できる。【選択図】        図１
2005153655.tif 000002
【特許請求の範囲】
【請求項１】
トレッドのタイヤ赤道面両側に、タイヤ周方向に対して傾斜する傾斜溝がタイヤ周方向に間隔を空けて配置された空気入りタイヤであって、
前記トレッドを幅方向に３等分したときの中央部分をトレッド中央域、前記トレッド中央域の両側を両側域としたときに、
前記傾斜溝は、少なくとも前記トレッド中央域に配置されタイヤ周方向に対して傾斜して延びる急傾斜部分と、少なくとも前記両側区域に配置されトレッド接地端に向けて前記急傾斜部分と同方向に傾斜すると共にタイヤ周方向に対する角度が前記急傾斜部分よりも大きく設定された緩傾斜部分とを有し、かつ溝長手方向中間部の溝幅がタイヤ赤道面側の端部側の溝幅よりも狭く設定されており、
前記傾斜溝に隣接する陸部は、前記急傾斜部分の幅狭部分に隣接する蹴り出し縁と、前記緩傾斜部分の幅狭部分に隣接する踏み込み縁に夫々面取り部を有し、
さらに、前記傾斜溝は、前記面取り部を形成した部分の溝底部側には、溝深さ中間部分よりも溝幅が広く設定された拡幅部分を有している、
ことを特徴とする空気入りタイヤ。
【請求項２】
前記傾斜溝は、タイヤ軸方向外側の端部がトレッド接地端にて開口していると共に、トレッド接地端側の溝幅が前記面取り部を形成した部分の溝幅よりも広く設定されている、ことを特徴とする請求項１に記載の空気入りタイヤ。
【請求項３】
前記急傾斜部分に設けられた拡幅部分、及び前記緩傾斜部分に設けられた拡幅部分は、それぞれ面取り部側に変位して設けられている、ことを特徴とする請求項１または請求項２に記載の空気入りタイヤ。
【請求項４】
タイヤ赤道面を挟んで一方の前記傾斜溝と他方の前記傾斜溝とは、タイヤ周方向に位相差を設けて配置されている、ことを特徴とする請求項１乃至請求項３の何れか１項に記載の空気入りタイヤ。
【請求項５】
前記トレッドのタイヤ赤道面両側には、タイヤ赤道面からトレッド接地端へ向けてトレッド半幅の５０〜６５％の領域内にタイヤ周方向に延びる周方向溝が形成されている、ことを特徴とする請求項１乃至請求項４の何れか１項に記載の空気入りタイヤ。
【発明の詳細な説明】
【技術分野】
【０００１】
本発明は空気入りタイヤに係り、特に、ウエット性能を犠牲にせずに、ヒール・アンド・トゥ摩耗を抑制することのできる空気入りタイヤに関する。
【背景技術】
【０００２】
夏用タイヤにおいては、タイヤ周方向に延びるストレート主溝と、タイヤ周方向に対して傾斜する傾斜溝との組み合わせによるブロックパターンが一般的である（例えば、特許文献１参照。）。
【０００３】
このようなパターンにおいて、ウエットハイドロプレーニング性能を良くするには、溝幅を広げるなど、溝面積（ネガティブ）を増やす方法が一般的である。
【０００４】
また、周方向溝により前後方向の排水、傾斜溝により横方向の排水を担うのが一般的である。
【０００５】
なお、傾斜溝を周方向溝に開口しないで寸止めすることで、低ノイズ化が図れる。
【０００６】
ブロックパターンでは、ヒール・アンド・トゥ摩耗を発生することがあり、このヒール・アンド・トゥ摩耗を抑制するために、ラグ溝を閉じてリブを配置することが一般的である（例えば、特許文献２参照。）。
【０００７】
なお、ブロックの剛性を確保するために、ブロックエッジをラグ溝に沿って面取りすることが提案されている（特許文献３参照。）。
【０００８】
また、ブロック表面がサイプで、中が中空のトンネル溝パターンも提案されており、ドライ操縦安定性と、ウエットハイドロプレーニング性能の両立が謳われている（特許文献４参照。）。
【特許文献１】特開平５−２４６２１４号公報
【特許文献２】特開昭６２−１５７８０７号公報
【特許文献３】特開平２−１４１３０号公報
【特許文献２】特開昭６１−１６０３０３号公報
【発明の開示】
【発明が解決しようとする課題】
【０００９】
しかしながら、溝面積を広げると一般に排水性は向上するが、単に溝幅を広げるだけでは、ブロックの剛性が不足したり、溝内エアーボリュームの増加によりパターンノイズが悪化したりする問題がある。
【００１０】
一般に陸部列は排水性のためラグ溝を設けるが、このラグ溝により連続したスムーズな接地が損なわれ、パターンノイズの発生源となることが多い。
【００１１】
一方で、切り込みの無いプレーンな陸部列（リブ）では、ウエット排水性の低下のみならず、低μ（低摩擦係数）路でのグリップ、陸部剛性の高すぎが原因の乗り心地の悪化を引き起こす場合がある。
【００１２】
ヒール・アンド・トゥ摩耗を抑制するためにラグ溝を閉じてリブ化したり、傾斜溝を周方向溝に開口しないで寸止めすることで低ノイズ化が図れるが、ウエット排水性が悪化する問題がある。
【００１３】
ブロック表面がサイプで、中が中空のトンネル溝パターンは、中空部のブロック表面付近の剛性が低く、この部分のヒール・アンド・トゥ摩耗が懸念される。
【００１４】
本発明は、上記問題を解決すべく成されたもので、ウエット性能を犠牲にせずに、ヒール・アンド・トゥ摩耗を抑制することのできる空気入りタイヤを提供することが目的である。
【課題を解決するための手段】
【００１５】
請求項１に記載の発明は、トレッドのタイヤ赤道面両側に、タイヤ周方向に対して傾斜する傾斜溝がタイヤ周方向に間隔を空けて配置された空気入りタイヤであって、前記トレッドを幅方向に３等分したときの中央部分をトレッド中央域、前記トレッド中央域の両側を両側域としたときに、前記傾斜溝は、少なくとも前記トレッド中央域に配置されタイヤ周方向に対して傾斜して延びる急傾斜部分と、少なくとも前記両側区域に配置されトレッド接地端に向けて前記急傾斜部分と同方向に傾斜すると共にタイヤ周方向に対する角度が前記急傾斜部分よりも大きく設定された緩傾斜部分とを有し、かつ溝長手方向中間部の溝幅がタイヤ赤道面側の端部側の溝幅よりも狭く設定されており、前記傾斜溝に隣接する陸部は、前記急傾斜部分の幅狭部分に隣接する蹴り出し縁と、前記緩傾斜部分の幅狭部分に隣接する踏み込み縁に夫々面取り部を有し、前記急傾斜部分の前記面取り部を形成した部分の溝底部側には、溝深さ中間部分よりも溝幅が広く設定された拡幅部分が面取り部側に変位して設けられており、前記緩傾斜部分の前記面取り部を形成した部分の溝底部側には、溝深さ中間部分よりも溝幅が広く設定された拡幅部分が面取り部側に変位して設けられている、ことを特徴としている。
【００１６】
次に、請求項１に記載の空気入りタイヤの作用を説明する。
【００１７】
先ず、タイヤトレッドのヒール・アンド・トゥ摩耗の発生メカニズムは、タイヤ回転時の回転半径がトレッド中央域と両側域とで異なり、トレッドの両側域はもともとトレッド中心回転半径より小さな回転半径による制動方向の力が働き、路面に対して滑りが生じる。
【００１８】
この力と滑りにより、特に両側域では、ブロックの蹴り出し側のエッジの接地圧が高く摩耗し易いが、逆に踏み込み側は、接地圧が低く、エッジはゴムが逃げて摩耗せず残り易く、総合して段差の大きなヒール・アンド・トゥ摩耗となる。
【００１９】
次に、中央域では、回転半径の大小関係では逆でブロックが受ける力は駆動方向となり、傾向として踏み込み側が摩耗し易い。
【００２０】
また、中央域のブロックは、排水性、ノイズの点で、ブロックを区画する溝の角度（対幅方向）が大きい所謂ハイアングル溝となるため、コーナリングのサイドフォース入力に対して蹴り出し側のエッジは逃げて残りやすい傾向となる。
【００２１】
請求項１に記載の空気入りタイヤでは、両側域の緩傾斜部分の幅狭部分に面する踏み込み縁に面取り部を形成したので、両側域の陸部の蹴り出し側と踏み込み側との段差量を抑制し、結果的に両側域のヒール・アンド・トゥ摩耗を改良できる。
【００２２】
また、中央域の急傾斜部分の幅狭部分に面する蹴り出し縁に面取り部を形成したので、中央域の陸部の蹴り出し側と踏み込み側との段差量を抑制し、結果的に中央域のヒール・アンド・トゥ摩耗を改良できる。
【００２３】
ここで、パターンノイズを抑制すべく傾斜溝に幅狭部分を設けているが（溝エアボリュームを抑えるため）、溝幅を狭くするだけではハイドロプレーニング性能が低下するので、幅狭部分の溝底部側に拡幅部分を設け、さらに傾斜溝をトレッド接地端に開口させているので、溝内の水をトレッド接地端外側へスムーズに排水でき、十分なウエット排水性を確保できる。
【００２４】
拡幅部分に十分な水を流すためには踏面側からの水の導入部が必要となるが、傾斜溝は、タイヤ赤道面側の端部側が幅広に設定されているので、溝幅の広い部分からトレッド中央付近と路面との間の水を拡幅部分に取り込み易くしている。
【００２５】
なお、傾斜溝のタイヤ赤道面側の端部付近は、タイヤ周方向に対する角度が両側域対比で小さく（所謂ハイアングル）、長さも短くて済むので、パターンノイズを発生することは無い。
【００２６】
本発明においてトレッド接地端とは、空気入りタイヤをＪＡＴＭＡ ＹＥＡＲ ＢＯＯＫ（２００３年度版、日本自動車タイヤ協会規格）に規定されている標準リムに装着し、ＪＡＴＭＡ  ＹＥＡＲ  ＢＯＯＫでの適用サイズ・プライレーティングにおける最大負荷能力（内圧−負荷能力対応表の太字荷重）に対応する空気圧（最大空気圧）の１００％の内圧を充填し、最大負荷能力を負荷したときのタイヤ幅方向最外側の端部である。
【００２７】
なお、使用地又は製造地において、ＴＲＡ規格、ＥＴＲＴＯ規格が適用される場合は、リム、空気圧、及び荷重は各々の規格に従う。
【００２８】
請求項２に記載の発明は、請求項１に記載の空気入りタイヤにおいて、前記傾斜溝は、タイヤ軸方向外側の端部がトレッド接地端にて開口していると共に、トレッド接地端側の溝幅が前記面取り部を形成した部分の溝幅よりも広く設定されている、ことを特徴としている。
【００２９】
次に、請求項２に記載の空気入りタイヤの作用を説明する。
【００３０】
拡幅部分に導入された水を効率的に排出するためには、拡幅部分の排出側に開口部が必要となるが、傾斜溝のタイヤ軸方向端部をトレッド接地端にて開口させ、かつパターンノイズに影響しないトレッド接地側にて傾斜溝の溝幅を広くしているので、パターンノイズを悪化させずに溝内の水を接地面外へスムーズに排水することができる。
【００３１】
請求項３に記載の発明は、請求項１または請求項２に記載の空気入りタイヤにおいて、前記急傾斜部分に設けられた拡幅部分、及び前記緩傾斜部分に設けられた拡幅部分は、それぞれ面取り部側に変位して設けられている、ことを特徴としている。
【００３２】
次に、請求項３に記載の空気入りタイヤの作用を説明する。
【００３３】
傾斜溝の溝底側に拡幅部分を設けると、その踏面側の部分の剛性が低下するため、トレッドの中央域では蹴り出し側のエッジ、両側域では踏み込み側のエッジのゴムが逃げてはね残る現象が生じる場合があるが、請求項３に記載の空気入りタイヤでは、面取り部を設けた側に拡幅部分を変位させたので、剛性が不足した部分が路面に強く接地しなくなり、はね残り現象を回避することができる。
【００３４】
請求項４に記載の発明は、請求項１乃至請求項３の何れか１項に記載の空気入りタイヤにおいて、タイヤ赤道面を挟んで一方の前記傾斜溝と他方の前記傾斜溝とは、タイヤ周方向に位相差を設けて配置されている、ことを特徴としている。
【００３５】
次に、請求項４に記載の空気入りタイヤの作用を説明する。
【００３６】
タイヤ赤道面を挟んで一方の傾斜溝と他方の傾斜溝をタイヤ周方向に位相差を設けて配置することで、左右の傾斜溝が路面に対して交互に接地することになり、パターンノイズを良化することができる。
【００３７】
請求項５に記載の発明は、請求項１乃至請求項４の何れか１項に記載の空気入りタイヤにおいて、前記トレッドのタイヤ赤道面両側には、タイヤ赤道面からトレッド接地端へ向けてトレッド半幅の５０〜６５％の領域内にタイヤ周方向に延びる周方向溝が形成されている、ことを特徴としている。
【００３８】
次に、請求項５に記載の空気入りタイヤの作用を説明する。
【００３９】
トレッドのタイヤ赤道面両側に、タイヤ赤道面からトレッド接地端へ向けてトレッド半幅の５０〜６５％の領域内にタイヤ周方向に延びる周方向溝を設けることにより、排水性が向上し、ウエットハイドロプレーニング性能が更に向上する。
【００４０】
なお、周方向溝の配置位置が上記領域よりもタイヤ赤道面側に配置されると、トレッド中央域の排水を担う急傾斜部分（ハイアングル部）の比率が不足して排水性の低下を招く。
【００４１】
一方、周方向溝の配置位置が上記領域よりもトレッド接地端側に配置されると、周方向溝よりもショルダー側のショルダー陸部のブロック剛性が不足し、ショルダー片落ち偏摩耗を招くと共に、操縦安定性も低下する。
【発明の効果】
【００４２】
以上説明したように請求項１に記載の空気入りタイヤは上記構成としたので、ウエット性能を犠牲にせずに、ヒール・アンド・トゥ摩耗を抑制することができる、という優れた効果を有する。
【００４３】
請求項２に記載の空気入りタイヤは上記の構成としたので、パターンノイズを悪化させずにウエット性能を向上することができる、という優れた効果を有する。
【００４４】
請求項３に記載の空気入りタイヤは上記の構成としているので、はね残り現象を回避することができる、という優れた効果を有する。
【００４５】
請求項４に記載の空気入りタイヤは上記の構成としているので、パターンノイズを良化することができる、という優れた効果を有する。
【００４６】
請求項５に記載の空気入りタイヤは上記の構成としているので、ウエットハイドロプレーニング性能を更に向上できる、という優れた効果を有する。
【発明を実施するための最良の形態】
【００４７】
以下、図面を参照して本発明の実施の形態の一例を詳細に説明する。
【００４８】
図１に示すように、空気入りタイヤ１０のトレッド１２には、タイヤ赤道面ＣＬの両側に、タイヤ軸方向（矢印Ｗ方向）に対して傾斜する傾斜溝１４がタイヤ周方向（矢印Ａ方向はタイヤ回転方向）に間隔を空けて複数形成されている。
【００４９】
タイヤ赤道面ＣＬの左側の傾斜溝１４は左上がりに傾斜し、タイヤ赤道面ＣＬの右側の傾斜溝１４は右上がりに傾斜して方向性パターンを形成している。
【００５０】
傾斜溝１４は、タイヤ軸方向内側がタイヤ赤道面ＣＬ近傍で終端しており、タイヤ軸方向外側がトレッド１２のトレッド接地端１２Ｅに開口している。
【００５１】
なお、タイヤ赤道面ＣＬを挟んで左側の傾斜溝１４と右側の傾斜溝１４とは、タイヤ周方向に位相差を設けて配置されている。
【００５２】
本実施形態の傾斜溝１４は、タイヤ赤道面側がタイヤ周方向に対する角度が小とされた急傾斜部分１６と、急傾斜部分１６と同方向に傾斜すると共にタイヤ周方向に対する角度が急傾斜部分１６よりも大きく設定された緩傾斜部分１８とから構成されている。
【００５３】
トレッド１２をタイヤ軸方向に３等分したときの中央部分をトレッド中央域１２Ｃ、トレッド中央域１２Ｃの両側をトレッド両側域１２Ｓとしたときに、トレッド中央域１２Ｃには急傾斜部分１６が配置され、トレッド両側域１２Ｓには急傾斜部分１６の一部分、及び緩傾斜部分１８が配置されている。
【００５４】
トレッド１２には、急傾斜部分１６と緩傾斜部分１８との間に、タイヤ周方向に延びる周方向溝２０が形成されている。
【００５５】
周方向溝２０は、タイヤ赤道面ＣＬからトレッド接地端１２Ｅへ向けてトレッド半幅（ＴＷ／２）の５０〜６５％の領域内に設けることが好ましい。
【００５６】
また、トレッド１２には、周方向溝２０からタイヤ軸方向外側へ、急傾斜部分１６の延長線に沿って延びる副傾斜溝２１が形成されている。
【００５７】
副傾斜溝２１は、タイヤ回転方向とは反対側の傾斜溝１４のトレッド接地端１２Ｅ側の端部に開口している。
【００５８】
傾斜溝１４は、溝長手方向中間部の溝幅が狭く、タイヤ赤道面側の端部付近、及びトレッド接地端１２Ｅ付近の一部分の溝幅が溝長手方向中間部よりも幅広に設定されている。
【００５９】
傾斜溝１４に隣接する陸部２２は、急傾斜部分１６の幅狭部分に隣接する蹴り出し縁に蹴り出し縁面取り部２４が形成され、緩傾斜部分１８の幅狭部分に隣接する踏み込み縁に踏み込み縁面取り部２６が形成されている。
【００６０】
また、陸部２２には、傾斜溝１４と副傾斜溝２１との交点付近の鋭角部分に面取り部２７が形成されている。
【００６１】
蹴り出し縁面取り部２４は、図２の断面図に示すように一定角度で傾斜しているが、アール面取りであっても良く、少なくとも踏面２２Ａよりも低くなっていれば良く、図３の断面図に示すように段部であっても良い。なお、踏み込み縁面取り部２６についても、蹴り出し縁面取り部２４と同様の形状に設定される。
【００６２】
傾斜溝１４は、蹴り出し縁面取り部２４を形成した部分の溝底部側、及び踏み込み縁を形成した部分の溝底部側に、それぞれ溝深さ中間部分よりも溝幅が広く設定された拡幅部分２８を有している、
ここで、急傾斜部分１６に設けられた拡幅部分２８は、図２に示すように蹴り出し縁面取り部２４側に変位して設けられており、緩傾斜部分１８に設けられた拡幅部分２８は、図示はしないが踏み込み縁面取り部２６側に変位して設けられている。
（作用）
次に、本実施形態の空気入りタイヤ１０の作用を説明する。
【００６３】
トレッド１２のトレッド両側域１２Ｓでは、陸部２２の蹴り出し側のエッジの接地圧が高く摩耗し易く、段差の大きなヒール・アンド・トゥ摩耗を生じやすいが、本実施形態の空気入りタイヤ１０では、トレッド両側域１２Ｓの緩傾斜部分１８に隣接する陸部２２の踏み込み縁に踏み込み縁面取り部２６を形成しているので、トレッド両側域１２Ｓの陸部２２の蹴り出し側と踏み込み側との段差量を抑制でき、結果的にトレッド両側域１２Ｓのヒール・アンド・トゥ摩耗を改良することができる。
【００６４】
一方、トレッド中央域１２Ｃでは、傾向として踏み込み側が摩耗し易く蹴り出し側のエッジが残り易く、これによるヒール・アンド・トゥ摩耗を生じやすいが、本実施形態の空気入りタイヤ１０では、トレッド中央域１２Ｃの急傾斜部分１６に隣接する陸部２２の蹴り出し縁に蹴り出し縁面取り部２４を形成しているので、トレッド中央域１２Ｃの陸部２２の蹴り出し側と踏み込み側との段差量を抑制でき、結果的にトレッド中央域１２Ｃのヒール・アンド・トゥ摩耗を改良することができる。
【００６５】
ここで、傾斜溝１４は、溝長手方向中間部分の溝幅を狭く設定しているので、溝ボリュームが抑えられ、パターンノイズの発生を抑制することができる。
【００６６】
傾斜溝１４の溝幅を単に狭くするだけではハイドロプレーニング性能が低下するが、本実施形態の空気入りタイヤ１０では、幅狭部分の溝底部側に拡幅部分２８を設け、傾斜溝１４をトレッド接地端１２Ｅに開口させているので、溝内の水をトレッド接地端１２Ｅの外側へスムーズに排水でき、十分なウエット排水性を確保できる。
【００６７】
なお、傾斜溝１４は、タイヤ赤道面ＣＬ側のが幅広に設定されているので、溝幅の広い部分を介してトレッド中央付近と路面との間の水を拡幅部分２８に取り込み易くなっている。
【００６８】
なお、傾斜溝１４のタイヤ赤道面ＣＬ側の端部付近は、タイヤ周方向に対する角度がトレッド両側域１２Ｓ対比で小さく、長さも短いので、パターンノイズを発生することは無い。
【００６９】
また、傾斜溝１４は、拡幅部分２８の水の排水性を向上するために、タイヤ軸方向端部をトレッド接地端１２Ｅにて開口させ、かつ溝幅を広くしているが、トレッド接地端１２Ｅ付近は、そもそもパターンノイズを発生し難い領域なので、傾斜溝１４の溝幅を広くしてもパターンノイズを悪化させることは無い。
【００７０】
また、傾斜溝１４の溝底側に拡幅部分２８を設けると、踏面側の部分の剛性が低下してトレッド中央域１２Ｃでは蹴り出し側のエッジ、トレッド両側域１２Ｓでは踏み込み側のエッジのゴムが逃げてはね残る現象が生じる場合があるが、本実施形態の空気入りタイヤ１０では、トレッド中央域１２Ｃでは蹴り出し縁面取り部２４を設けた側に拡幅部分２８を変位させ、トレッド両側域１２Ｓでは踏み込み縁面取り部２６を設けた側に拡幅部分２８を変位させているので、剛性が不足した部分が路面に強く接地しなくなり、はね残り現象を回避することができる。
【００７１】
なお、本実施形態の空気入りタイヤ１０では、タイヤ赤道面ＣＬを挟んで一方の傾斜溝１４と他方の傾斜溝１４をタイヤ周方向に位相差を設けて配置しているので、位相差を設けない場合と比較してパターンノイズを良化することができる。
【００７２】
なお、周方向溝２０の配置位置が、タイヤ赤道面ＣＬからトレッド接地端１２Ｅへ向けてトレッド半幅（ＴＷ／２）の５０〜６５％の領域よりもタイヤ赤道面ＣＬ側に配置されると、トレッド中央域１２Ｃの排水を担う急傾斜部分１６（ハイアングル部）の比率が不足して排水性の低下を招く。
【００７３】
一方、周方向溝２０の配置位置が上記５０〜６５％の領域よりもトレッド接地端１２Ｅ側に配置されると、周方向溝２０よりもショルダー側の陸部（所謂ショルダーブロック）のブロック剛性が不足し、ショルダー片落ち偏摩耗を招くと共に、操縦安定性も低下する。
［第２の実施形態］
次に、本発明の第２の実施形態に係る空気入りタイヤ１０を説明する。なお、第１の実施形態と同一構成には同一符号を付し、その説明は省略する。
【００７４】
図４に示すように、本実施形態の空気入りタイヤ１０では、トレッド１２のタイヤ赤道面ＣＬ両側に、タイヤ周方向に延びて隣接する傾斜溝１４同士を連結する周方向溝３０が形成されている。
【００７５】
本実施形態の周方向溝３０は、タイヤ周方向に延びて隣接する傾斜溝１４同士を連結しているので、第１の実施形態よりも更に排水性が向上し、ウエットハイドロプレーニング性能が更に向上する。
【００７６】
なお、その他の作用効果は第１の実施形態と同様である。
（試験例）
本発明の効果を確かめるために、従来例の空気入りタイヤ１種、本発明の適用された実施例のタイヤ２種、及び比較例の空気入りタイヤ１種を用意し、それぞれのウエットハイドロプレーニング性能、パターンノイズ、及び耐偏摩耗性能を調べた。
【００７７】
・ウエットハイドロプレーニング性能の試験方法、及び評価方法：水深５mmのウエット路を通過時のハイドロプレーニング発生限界速度でのテストドライバーによるフィーリング評価。評価は、従来例を１００とする指数表示としており、数値が大きいほど性能に優れていることを表している。
【００７８】
・パターンノイズの試験方法、及び評価方法：直線平滑路を１００ｋｍ／ｈから慣行したときの車内音のテストドライバーによるフィーリング評価。評価は、従来例を１００とする指数表示としており、数値が大きいほど性能に優れていることを表している。
【００７９】
・耐偏摩耗性能の試験方法、及び評価方法：高速道、市街地路、及び山坂道を想定したモード走行において、５０００ｋｍ走行後のタイヤトレッド表面の目視評価、及び残溝計測の総合評価。評価は、従来例を１００とする指数表示としており、数値が大きいほど性能に優れていることを表している。
【００８０】
・実施例１のタイヤ：前述した第１の実施形態の空気入りタイヤである。各部の寸法、角度は以下の表１に示す通りである。
【００８１】
・実施例２のタイヤ：前述した第２の実施形態の空気入りタイヤである。各部の寸法、角度は以下の表２に示す通りである。
【００８２】
・比較例のタイヤ：前述した第１の実施形態の空気入りタイヤと同一のパターンであるが、図５、及び図６に示すように、傾斜溝１４の幅狭部分に隣接する縁部に面取り部を形成せず、また、溝底側に拡幅部分を形成していない空気入りタイヤである。各部の寸法、角度は以下の表３に示す通りである。
【００８３】
・従来例のタイヤ：図７に示すパターンを有する空気入りタイヤである。
【００８４】
図７に示すように、タイヤ赤道面ＣＬに沿って形成される周方向副溝４０、周方向副溝４０のタイヤ軸方向両側に設けられる第１の周方向主溝４２、第１の周方向主溝４２のタイヤ幅方向外側に設けられる第２の周方向主溝４４、トレッド接地端５２Ｅと第２の周方向主溝４４とを連結する横溝４６、第２の周方向主溝４４と第１の周方向主溝４２とを連結する横溝４８、第１の周方向主溝４２からタイヤ赤道面ＣＬへ向けて延びて周方向副溝４０に接続せずに終端する横断主溝５０をトレッド５２に備えている。各部の寸法、角度は以下の表４に示す通りである。
【００８５】
なお、各タイヤのサイズは、何れも２０５／５５Ｒ１６である。
【００８６】
【表１】
2005153655.tif 000003
【００８７】
【表２】
2005153655.tif 000004
【００８８】
【表３】
2005153655.tif 000005
【００８９】
【表４】
2005153655.tif 000006
【００９０】
【表５】
2005153655.tif 000007
試験の結果から、本発明の適用された実施例のタイヤは、ウエット性能を犠牲にせずに、ヒール・アンド・トゥ摩耗を抑制できていることが分かる。
【図面の簡単な説明】
【００９１】
【図１】本発明の第１の実施形態に係る空気入りタイヤのトレッドの平面図である。
【図２】傾斜溝の断面図である。
【図３】他の実施形態に係る傾斜溝の断面図である。
【図４】本発明の第２の実施形態に係る空気入りタイヤのトレッドの平面図である。
【図５】比較例に係る空気入りタイヤのトレッドの平面図である。
【図６】比較例に係る空気入りタイヤの傾斜溝の断面図である。
【図７】従来例に係る空気入りタイヤのトレッドの平面図である。
【符号の説明】
【００９２】
１０    空気入りタイヤ
１２Ｅ  トレッド接地端
１２    トレッド
１２Ｃ  トレッド中央域
１２Ｓ         トレッド両側域
１４    傾斜溝
１６    急傾斜部分
１８    緩傾斜部分
２０    周方向溝
２２    陸部
２４    蹴り出し縁面取り部
２６    踏み込み縁面取り部
２８    拡幅部分
３０    周方向溝
【図１】
2005153655.tif 000008
【図２】
2005153655.tif 000009
【図３】
2005153655.tif 000010
【図４】
2005153655.tif 000011
【図５】
2005153655.tif 000012
【図６】
2005153655.tif 000013
【図７】
2005153655.tif 000014